(57)【要約】本発明が公開する３Ｄフレキシブル表示装置は、フレキシブル材料で製作され、画像を表示するフレキシブル表示パネルと、フレキシブル表示パネルの背面に形成され、フレキシブル表示パネル側に突起する自身の高さを制御することにより、フレキシブル表示パネルの所定の突起の高さを制御する高さ制御層とを含む。本発明は３Ｄフレキシブル表示装置の表示方法を更に公開する。３Ｄフレキシブル表示パネルと３Ｄ表示方法は、フレキシブル表示装置の変形の特徴を利用し、高さ制御層の区域の高さを制御することによってフレキシブル表示装置の表示区域を突起させることにより、真の３Ｄ表示効果を奏することができる。
2018504012.tif 000002
【特許請求の範囲】
【請求項１】
３Ｄフレキシブル表示装置であって、
フレキシブル材料で製作され、画像を表示するフレキシブル表示パネルと、
前記フレキシブル表示パネルの背面に形成され、制御によって前記フレキシブル表示パネル側に突起可能な１または複数の区域を具備する高さ制御層であって、前記高さ制御層の突起区域の突起高さが変化することにより、前記フレキシブル表示パネルにおいて前記高さ制御層の前記突起区域に対応する区域の突起高さを変化させる高さ制御層と、
を含む、３Ｄフレキシブル表示装置。
【請求項２】
前記３Ｄフレキシブル表示装置は表示回路と高さ制御回路を更に含み、前記表示回路は前記フレキシブル表示パネルを駆動して画像を表示させ、前記高さ制御回路は前記高さ制御層の突起を制御することを特徴とする請求項１に記載の３Ｄフレキシブル表示装置。
【請求項３】
前記表示回路と高さ制御回路は同一の制御ユニットによって同時制御されることを特徴とする請求項２に記載の３Ｄフレキシブル表示装置。
【請求項４】
前記高さ制御回路は、前記高さ制御層の１または複数の区域のうちの突起区域と該突起区域の突起高さとを制御することを特徴とする請求項２に記載の３Ｄフレキシブル表示装置。
【請求項５】
前記３Ｄフレキシブル表示装置は剛体のフレームを更に含み、前記フレキシブル表示パネルと高さ制御層の辺縁は前記フレームに拘束されるとともに前記フレームに固定されることを特徴とする請求項１に記載の３Ｄフレキシブル表示装置。
【請求項６】
高さ制御層は圧電材料または記憶材料で製作されることを特徴とする請求項１に記載の３Ｄフレキシブル表示装置。
【請求項７】
フレキシブル表示装置の３Ｄ表示方法であって、当該方法は、請求項１〜６のうちいずれか一項に記載の３Ｄフレキシブル表示装置を用い、かつ、
ワンフレームの画像に対応し、かつ画像データと高さ制御データを含む表示データを読み取るステップと、
前記読取った画像データと高さ制御データをそれぞれ、同一フレームの画像の画像表示と高さ制御に用いるステップと、
次のフレームの画像が出るとき、上述したステップを繰り返すステップと、
を含むフレキシブル表示装置の３Ｄ表示方法。
【請求項８】
前記高さ制御データは突起区域の座標と突起高さ値を含むことを特徴とする請求項７に記載のフレキシブル表示装置の３Ｄ表示方法。
【請求項９】
請求項１〜６のいずれか一項に記載の３Ｄフレキシブル表示装置に対して３Ｄ表示方法を実行させるための、コンピュータで実行可能な指令プログラムを記録した１または複数のコンピュータ読み取り可能な記録媒体であって、
前記３Ｄ表示方法は、
ワンフレームの画像に対応し、かつ画像データと高さ制御データを含む表示データを読み取るステップと、
前記読取った画像データと高さ制御データをそれぞれ、同一フレーム画像の画像表示と高さ制御に用いるステップと、
次のフレームの画像が出るとき、前記ステップを繰り返すステップと、
を含む、記録媒体。
【請求項１０】
前記高さ制御データは突起区域の座標と突起高さ値を含むことを特徴とする請求項９に記載のパソコン記憶媒体。
【発明の詳細な説明】
【技術分野】
【０００１】
本発明は、表示技術に関し、特にフレキシブル表示装置の操作制御方法に関するものである。
【背景技術】
【０００２】
フレキシブル表示装置は、例えば携帯性がよく、曲げることができ、自由に変形させることができるなど色々な利点を有している。フレキシブル表示装置の技術の発展に伴って、フレキシブル表示パネルは我々の生活に入り込んでおり、フレキシブル携帯端末は我々の生活の重要な道具になってきている。遠くない将来には、従来の携帯端末（例えば携帯電話、タブレットなど）の代わりにフレキシブル携帯端末が主流になりそうである。
【０００３】
３Ｄ表示は、ユーザーの左右の目に視覚が異なる画像を入射させることにより、ユーザーが立体感を感知するようにする技術である。しかしながら、従来の画像は感覚上の３Ｄ画像に過ぎないので、従来の３Ｄ表示技術では真の３Ｄ表示を実現することができず、現実空間の立体感を形成することができない。
【先行技術文献】
【特許文献】
【０００４】
【特許文献１】米国特許出願公開第２０１４／０９８０７５号明細書
【発明の概要】
【発明が解決しようとする課題】
【０００５】
上述した問題を解決するため、真の３Ｄ表示ができる３Ｄフレキシブル表示パネルを提供する必要がある。
【０００６】
本発明は、３Ｄ表示方法と、関連するパソコン記憶媒体とを更に提供する。
【課題を解決するための手段】
【０００７】
３Ｄフレキシブル表示装置は、
フレキシブル材料で製作され、画像を表示するフレキシブル表示パネルと、
前記フレキシブル表示パネルの背面に形成され、制御によって前記フレキシブル表示パネル側に突起可能な１または複数の区域を具備する高さ制御層であって、当該高さ制御層の突起区域の突起高さが変化することにより、前記フレキシブル表示パネルにおいて前記高さ制御層の前記突起区域と対応する区域の突起高さを変化させる高さ制御層と、
を含む。
【０００８】
本発明の一実施例において、前記３Ｄフレキシブル表示装置は表示回路と高さ制御回路を更に含み、前記表示回路は前記フレキシブル表示パネルを駆動して画像を表示させ、前記高さ制御回路は前記高さ制御層の突起を制御する。
【０００９】
本発明の一実施例において、前記表示回路と前記高さ制御回路は同一の制御ユニットによって同時制御される。
【００１０】
本発明の一実施例において、前記高さ制御回路は具体的に、前記高さ制御層の一または複数の区域のうちの突起区域と前記突起区域の突起高さとを制御する。
【００１１】
本発明の一実施例において、前記３Ｄフレキシブル表示装置は剛体のフレームを更に含み、前記フレキシブル表示パネルと高さ制御層の辺縁は前記フレームに拘束されるとともに前記フレームに固定される。
【００１２】
本発明の一実施例において、高さ制御層は圧電材料または記憶材料で製作される。
【００１３】
フレキシブル表示装置の３Ｄ表示方法は、上記３Ｄフレキシブル表示装置を用いる方法であって、
ワンフレームの画像に対応し、かつ画像データと高さ制御データを含む表示データを読み取るステップと、
前記画像データと高さ制御データをそれぞれ、同じフレームの画像の画像表示と高さ制御とに用いるステップと、
次フレームの画像の番になると、上述したステップを繰り返すステップと、
を含む。
【００１４】
本発明の一実施例において、前記高さ制御データは突起区域の座標と突起高さ値を含む。
【００１５】
本発明によるコンピュータ読み取り可能な記録媒体は、フレキシブル表示装置に対して３Ｄ表示方法を実行させるためのコンピュータで実行可能な指令を記録した１または複数の記録媒体であって、
前記３Ｄ表示方法は、
ワンフレームの画像に対応し、かつ画像データと高さ制御データを含む表示データを読み取るステップと、
前記読取った画像データと高さ制御データをそれぞれ、同じフレームの画像の画像表示と高さ制御に用いるステップと、
次のフレームの画像が出るとき、上述したステップを繰り返すステップと、
を含む。
【発明の効果】
【００１６】
上述した３Ｄフレキシブル表示パネルと３Ｄ表示方法は、３Ｄフレキシブル表示装置の変形の特徴を利用し、高さ制御層の区域の高さを制御することによってそれに対応するフレキシブル表示装置の表示区域を突起させることにより、真の３Ｄ表示効果を奏することができる。
【図面の簡単な説明】
【００１７】
【図１】本発明の実施例に係る３Ｄフレキシブル表示装置の層構造を示す図である。
【図２】真の３Ｄ表示効果を実現するための原理を示す図である。
【発明を実施するための形態】
【００１８】
図１に示すとおり、図１は本発明の実施例に係る３Ｄフレキシブル表示装置の層構造を示す図である。３Ｄフレキシブル表示装置１０は、フレキシブル表示パネル１００、高さ制御層２００及びフレーム３００を含む。フレキシブル表示パネル１００はフレキシブル材料で製作されることにより、画像を表示するだけでなく、変形することができる。例えば湾曲するか或いは折り曲げることができる。フレキシブル表示パネル１００の表示面１０２は画像を表示する面であり、表示面１０２の反対側の面は背面１０４である。高さ制御層２００はフレキシブル表示パネル１００の背面１０４上に形成される。高さ制御層２００は伸縮制御可能な材料で製作される。例えば、圧電材料または記憶材料で製作される。高さ制御層２００は１または複数の区域を具備し、高さ制御層２００の任意の区域が凸凹状態になるように制御されることができる。
【００１９】
フレキシブル表示パネル１００と高さ制御層２００の辺縁は、剛体のフレーム３００に拘束されるとともにフレーム３００に固定される。剛体のフレーム３００は、表示パネル１００の変形量を制限することができ、これにより、変形量が大きすぎて画像にゆがみが発生することを防止する。
【００２０】
図２を参照する。フレキシブル表示パネル１００がフレキシブル材料で製作されることにより、外力によって変形可能となる。高さ制御層２００は伸縮制御可能な材料で製作され、材料の伸縮を制御することにより、任意の区域の突起の高さを変化させることができる。高さ制御層２００のいずれかの区域２０２がフレキシブル表示パネル１００の背面１０４からフレキシブル表示パネル１００側へと突起するとき、当該区域２０２はフレキシブル表示パネル１００の対応する区域１０６を突起させる。これにより、この区域１０６の画像が突出するように見える。すなわち、高さ制御層２００の区域がフレキシブル表示パネル１００側に突起する高さを変化させることにより、フレキシブル表示パネル１００の対応区域１０６が突起する高さを制御することができる。
【００２１】
前記３Ｄフレキシブル表示装置１０は、表示回路と高さ制御回路（図示せず）を更に含む。前記表示回路はフレキシブル表示パネルを駆動し画像を表示させ、前記高さ制御回路は前記高さ制御層の突起を制御することに用いられる。
【００２２】
前記表示回路はフレキシブル表示パネル１００の駆動原理に合う回路である。例えば、フレキシブル表示パネル１００が液晶表示技術を採用するとき、前記表示回路は液晶駆動技術を採用し、フレキシブル表示パネル１００が有機エレクトロルミネッセンス（有機ＥＬ）表示技術を採用するとき、前記表示回路は有機ＥＬ駆動技術を採用する。
【００２３】
高さ制御回路は具体的に、高さ制御層２００の突起区域と突起高さを制御することに用いられる。表示された画像と突起の高さ、位置とが整合するように１つの制御ユニットで表示回路と高さ制御回路を同時制御しても良い。
【００２４】
上述した３Ｄフレキシブル表示装置１０を用いる３Ｄ表示方法を提供する。この方法は次のステップを含む。
【００２５】
ステップＳ１０１において、ワンフレームの画像に対応し、かつ画像データと高さ制御データを含む表示データを読み取る。高さ制御データは突起区域の座標と突起高さ値を含む。突起高さ値が０であることは、その突起区域を突起させる必要がないことを示す。この場合、その突起区域に信号を入力せず、平坦な状態になって次の突起制御を待つようにする。毎回の突起制御は、突起区域が突起している状態で行っても良いが、突起区域が平坦な状態に戻ってから行っても良い。
【００２６】
ステップＳ１０２において、読取った画像データと高さ制御データをそれぞれ、同一フレームの画像の画像表示と高さ制御に用いる。
【００２７】
ステップＳ１０３において、次のフレームのデータが存在するか判断する。存在すると判断した場合、ステップＳ１０１に戻る。
【００２８】
上述した３Ｄフレキシブル表示パネルと３Ｄ表示方法は、フレキシブル表示装置の変形の特徴を利用し、高さ制御層の区域の高さを制御することによってフレキシブル表示装置の表示区域を突起させることにより、真の３Ｄ表示効果を奏することができる。
【００２９】
上述した３Ｄ表示方法を実行するためのコンピュータで実行可能な指令を記録する１または複数のコンピュータ読み取り可能な記録媒体が提供される。
【００３０】
上述した各実施例の技術的事項は自由に組み合わせることができるが、説明を簡素化するため、各実施例の技術的事項の可能な組合わせをすべて説明したわけではない。すなわち、上述した技術的事項の組合せが互いに矛盾しないかぎり、いずれも本発明の技術的範囲に含まれる。
【００３１】
上述した実施例により、本発明の好適な実施例を具体的に詳細に説明してきたが、本発明の構成は上記の実施例に限定されるものではない。本技術分野の当業者は本発明の要旨を逸脱しない範囲内で設計の変換等を行うことができ、このような設計の変換等を行っても本発明の技術的範囲に属することは勿論である。すなわち、本発明の保護範囲は後述する特許請求の範囲によって定められる。
【図１】
2018504012.tif 000003
【図２】
2018504012.tif 000004
【国際調査報告】
2018504012.tif 000005
2018504012.tif 000006
2018504012.tif 000007
2018504012.tif 000008